(57)【要約】【課題】データ管理装置に登録すべき非ＤＩＣＯＭデータの選択作業を効率化すること。【解決手段】実施形態に係る医用情報管理装置は、生成手段と、照合手段と、取得手段と、表示制御手段とを有する。生成手段は、患者の患者情報に基づいてネットワークアクセス情報を生成する。照合手段は、ネットワークアクセス情報に基づいて構築された通信ネットワークを介してデータ生成デバイスから参照情報を取得すると共に、参照情報を、患者情報に含まれる基準情報に照合する。取得手段は、照合の結果、参照情報と基準情報とが同一患者を表すと判断された場合に、構築された通信ネットワークを介してデータ生成デバイスから複数の非ＤＩＣＯＭデータを取得する。表示制御手段は、複数の非ＤＩＣＯＭデータのそれぞれを、データ管理装置に登録すべき第１の非ＤＩＣＯＭデータ又はその他の第２の非ＤＩＣＯＭデータに分類し、第１の非ＤＩＣＯＭデータ及び第２の非ＤＩＣＯＭデータを互いに識別可能なように表示部に表示する。【選択図】  図１
2018116699.tif 000002
【特許請求の範囲】
【請求項１】
照合のための参照情報及び複数の非ＤＩＣＯＭ（Digital Imaging and Communications in Medicine）データを保有するデータ生成デバイスと、データ管理装置とに通信ネットワークを介して接続可能な医用情報管理装置であって、
患者の患者情報に基づいてネットワークアクセス情報を生成する生成手段と、
前記ネットワークアクセス情報に基づいて構築された通信ネットワークを介して前記データ生成デバイスから前記参照情報を取得すると共に、前記参照情報を、前記患者情報に含まれる基準情報に照合する照合手段と、
前記照合の結果、前記参照情報と前記基準情報とが同一患者を表すと判断された場合に、前記構築された通信ネットワークを介して前記データ生成デバイスから前記複数の非ＤＩＣＯＭデータを取得する取得手段と、
前記複数の非ＤＩＣＯＭデータのそれぞれを、前記データ管理装置に登録すべき第１の非ＤＩＣＯＭデータ又はその他の第２の非ＤＩＣＯＭデータに分類し、前記第１の非ＤＩＣＯＭデータ及び前記第２の非ＤＩＣＯＭデータを互いに識別可能なように表示部に表示する表示制御手段と、
を有する医用情報管理装置。
【請求項２】
前記表示制御手段は、
前記複数の非ＤＩＣＯＭデータのそれぞれについて、前記データ管理装置に登録された過去の非ＤＩＣＯＭデータに対する関連度を算出し、
前記関連度に応じて、前記複数の非ＤＩＣＯＭデータのそれぞれを、前記第１の非ＤＩＣＯＭデータ又は前記第２の非ＤＩＣＯＭデータに分類する、
請求項１に記載の医用情報管理装置。
【請求項３】
前記表示制御手段は、
前記複数の非ＤＩＣＯＭデータを要素とする画面を表示部に表示させ、
前記画面において、前記関連度に応じて、前記複数の非ＤＩＣＯＭデータの表示態様が異なるように制御する、
請求項２に記載の医用情報管理装置。
【請求項４】
前記表示制御手段は、前記複数の非ＤＩＣＯＭデータのうち、他の画像データよりも画質が悪い画像データを示す非ＤＩＣＯＭデータ、又は、他の画像データに含まれる撮影対象とは異なる撮影対象を含む画像データを示す非ＤＩＣＯＭデータを前記第２の非ＤＩＣＯＭデータに分類し、その他を前記第１の非ＤＩＣＯＭデータに分類する、
請求項１に記載の医用情報管理装置。
【請求項５】
前記取得手段は、前記照合の結果、前記参照情報と前記基準情報とが同一患者を表すと判断された場合に、前記構築された通信ネットワークを介して前記データ生成デバイスから、前記複数の非ＤＩＣＯＭデータとして、複数の処理前の非ＤＩＣＯＭデータに所定の処理が施された複数の処理後の非ＤＩＣＯＭデータを取得する、
請求項１乃至４のうちいずれか一項に記載の医用情報管理装置。
【請求項６】
前記取得手段は、前記複数の処理前の非ＤＩＣＯＭデータに、前記所定の処理としての暗号化処理及び圧縮処理のうち少なくとも一方が施された前記複数の処理後の非ＤＩＣＯＭデータを取得する、
請求項５に記載の医用情報管理装置。
【請求項７】
前記生成手段は、前記ネットワークアクセス情報を破棄する場合、前記データ生成デバイスに記憶された、前記ネットワークアクセス情報に対応する前記複数の非ＤＩＣＯＭデータ及び参照情報の削除を前記データ生成デバイスに要求する、
請求項１乃至６のうちいずれか一項に記載の医用情報管理装置。
【請求項８】
前記入力部からの登録指示に従って、前記第１の非ＤＩＣＯＭデータ、又は、複数の前記第１の非ＤＩＣＯＭデータの一部を登録対象の非ＤＩＣＯＭデータとして、前記データ管理装置に更に登録する登録手段を更に有する、
請求項１乃至７のうちいずれか一項に記載の医用情報管理装置。
【請求項９】
前記登録手段は、前記第１の非ＤＩＣＯＭデータ、又は、前記複数の非ＤＩＣＯＭデータの一部を登録対象の非ＤＩＣＯＭデータとして、前記データ管理装置としてのＶＮＡ（Vendor Neutral Archive）又はＤＩＣＯＭサーバに登録する、
請求項８に記載の医用情報管理装置。
【請求項１０】
照合のための参照情報及び複数の非ＤＩＣＯＭデータを保有するデータ生成デバイスと、医用情報管理装置と、データ管理装置とが通信ネットワークを介して接続可能な医用情報管理システムであって、
前記医用情報管理装置は、
患者の患者情報に基づいてネットワークアクセス情報を生成する生成手段と、
前記ネットワークアクセス情報に基づいて構築された前記通信ネットワークを介して前記データ生成デバイスから前記参照情報を取得すると共に、前記参照情報を、前記患者情報に含まれる基準情報に照合する照合手段と、
前記照合の結果、前記参照情報と前記基準情報とが同一患者を表すと判断された場合に、前記構築された通信ネットワークを介して前記データ生成デバイスから前記複数の非ＤＩＣＯＭデータを取得する取得手段と、
前記複数の非ＤＩＣＯＭデータのそれぞれを、前記データ管理装置に登録すべき第１の非ＤＩＣＯＭデータ又はその他の第２の非ＤＩＣＯＭデータに分類し、前記第１の非ＤＩＣＯＭデータ及び前記第２の非ＤＩＣＯＭデータを互いに識別可能なように表示部に表示する表示制御手段と、
を有する医用情報管理システム。
【請求項１１】
前記表示制御手段は、
前記複数の非ＤＩＣＯＭデータのそれぞれについて、前記データ管理装置に登録された過去の非ＤＩＣＯＭデータに対する関連度を算出し、
前記関連度に応じて、前記複数の非ＤＩＣＯＭデータのそれぞれを、前記第１の非ＤＩＣＯＭデータ又は前記第２の非ＤＩＣＯＭデータに分類する、
請求項１０に記載の医用情報管理システム。
【請求項１２】
前記表示制御手段は、
前記複数の非ＤＩＣＯＭデータを要素とする画面を表示部に表示させ、
前記画面において、前記関連度に応じて、前記複数の非ＤＩＣＯＭデータの表示態様が異なるように制御する、
請求項１１に記載の医用情報管理システム。
【請求項１３】
前記表示制御手段は、前記複数の非ＤＩＣＯＭデータのうち、他の画像データよりも画質が悪い画像データを示す非ＤＩＣＯＭデータ、又は、他の画像データに含まれる撮影対象とは異なる撮影対象を含む画像データを示す非ＤＩＣＯＭデータを前記第２の非ＤＩＣＯＭデータに分類し、その他を前記第１の非ＤＩＣＯＭデータに分類する、
請求項１０に記載の医用情報管理システム。
【請求項１４】
前記医用情報管理装置、前記データ管理装置、及びアクセスポイントが有線の通信ネットワークを介して接続可能な構成を備え、
前記データ生成デバイスが無線の通信ネットワークを介して前記アクセスポイントに接続可能な構成を備えた、
請求項１０乃至１３のうちいずれか一項に記載の医用情報管理システム。
【請求項１５】
前記生成手段は、前記患者情報に基づいて前記ネットワークアクセス情報としてのＳＳＩＤ（Service Set Identifier）を生成し、前記ＳＳＩＤを前記データ生成デバイスに提示し、
前記照合手段は、前記ＳＳＩＤに基づいて構築された前記無線の通信ネットワークを介して前記データ生成デバイスから前記参照情報を取得し、
前記取得手段は、前記構築された無線の通信ネットワークを介して前記データ生成デバイスから前記複数の非ＤＩＣＯＭデータを取得する、
請求項１４に記載の医用情報管理システム。
【請求項１６】
前記医用情報管理装置、前記データ管理装置、及び前記データ生成デバイスが有線の通信ネットワークを介して接続可能な構成を備えた、
請求項１０乃至１３のうちいずれか一項に記載の医用情報管理システム。
【請求項１７】
前記生成手段は、前記患者情報に基づいて前記ネットワークアクセス情報としてのＶＬＡＮ（Virtual Local Area Network）のタグ情報を生成し、
前記照合手段は、前記タグ情報に基づいて構築された前記有線の通信ネットワークを介して前記データ生成デバイスから前記参照情報を取得し、
前記取得手段は、前記構築された有線の通信ネットワークを介して前記データ生成デバイスから前記複数の非ＤＩＣＯＭデータを取得する、
請求項１６に記載の医用情報管理システム。
【請求項１８】
前記生成手段は、前記患者情報に基づいて前記ネットワークアクセス情報としてのパスワード情報を生成し、
前記照合手段は、前記パスワード情報に基づいて構築された前記通信ネットワークを介して前記データ生成デバイスから前記参照情報を取得し、
前記取得手段は、前記構築された通信ネットワークを介して前記データ生成デバイスから前記複数の非ＤＩＣＯＭデータを取得する、
請求項１４又は１６に記載の医用情報管理システム。
【請求項１９】
前記生成手段は、前記通信ネットワークを介して接続されたＨＩＳ（Hospital Information Systems）、ＲＩＳ（Radiology Information Systems）、診療受付装置、医用画像診断装置、電子カルテサーバ、又はＭＷＭ（Modality Worklist Management）サーバから前記通信ネットワークを介して前記患者情報を取得する、
請求項１０乃至１８のうちいずれか一項に記載の医用情報管理システム。
【請求項２０】
ＨＴＴＰ（Hypertext Transfer Protocol）通信を利用することで、前記第１の非ＤＩＣＯＭデータ、又は、複数の前記第１の非ＤＩＣＯＭデータの一部を登録対象の非ＤＩＣＯＭデータとして、前記データ管理装置としてのＶＮＡ又はＤＩＣＯＭサーバに更に登録する登録手段を更に有する、
請求項１０乃至１９のうちいずれか一項に記載の医用情報管理システム。
【請求項２１】
前記登録手段は、前記登録対象の非ＤＩＣＯＭデータをＤＩＣＯＭ形式に変換してＤＩＣＯＭ通信を行うことで、変換後の登録対象のＤＩＣＯＭデータを前記ＤＩＣＯＭサーバに登録する、
請求項２０に記載の医用情報管理システム。
【発明の詳細な説明】
【技術分野】
【０００１】
本発明の実施形態は、医用情報管理装置及び医用情報管理システムに関する。
【背景技術】
【０００２】
病院等の医療機関の中でＤＩＣＯＭ（Digital Imaging and Communications in Medicine）データを扱う各診療科（例えば、放射線科）は、ＤＩＣＯＭデータを効率的に管理及び保管するアーカイブシステムとして、医用画像情報システム（ＰＡＣＳ：Picture Archiving and Communication System）を保有する。ＤＩＣＯＭとは、Ｘ線ＣＴ（Computed Tomography）装置やＭＲＩ（Magnetic Resonance Imaging）装置等の医用画像診断装置で撮像された医用画像データのフォーマットと、医用画像データを扱う医用画像機器間の通信プロトコルを定義した標準規格のことである。
【０００３】
また、医療機関の中の別の診療科では、非ＤＩＣＯＭデータ（Non-DICOM Data）を効率的に管理及び保管する。非ＤＩＣＯＭデータは、例えば、一般的な光学カメラで撮られたＪＰＧ形式及びＰＮＧ形式等の画像データや、文字情報を含むテキスト形式及びＨＴＭＬ（Hyper-Text Markup Language）形式等のデータや、ＭＰＥＧ形式等の動画像データや、心電図等の波形データを含む。
【０００４】
このような医療機関では、ＤＩＣＯＭデータであるか非ＤＩＣＯＭデータであるかを問わず医用情報を一元的に管理し、患者ごとに一覧できるシステムが求められている。また、１つの医療機関の医用情報を管理及び保管するだけでなく、複数の医療機関に亘る多くの医用情報を一元的に管理し、共通のルールで運用することで、地域医療連携等に活用したいとのニーズも高まっている。
【０００５】
そこで、異なるメーカのＰＡＣＳや、各臨床部門システムに管理されている多様なデータを一括して管理できるアーカイブシステムであるＶＮＡ（Vendor Neutral Archive）が注目され、普及が進んでいる。ＶＮＡは、非ＤＩＣＯＭデータに患者名等の患者情報を対応付けた上で登録する。
【先行技術文献】
【特許文献】
【０００６】
【特許文献１】特開２００３−２４８７２３号公報
【発明の概要】
【発明が解決しようとする課題】
【０００７】
本発明が解決しようとする課題は、データ管理装置に登録すべき非ＤＩＣＯＭデータの選択作業を効率化することである。また、本発明が解決しようとする課題は、適切な患者情報が対応付けられた非ＤＩＣＯＭデータをデータ管理装置に登録することである。
【課題を解決するための手段】
【０００８】
実施形態に係る医用情報管理装置は、照合のための参照情報及び複数の非ＤＩＣＯＭ（Digital Imaging and Communications in Medicine）データを保有するデータ生成デバイスと、データ管理装置とに通信ネットワークを介して接続可能である。医用情報管理装置は、生成手段と、照合手段と、取得手段と、表示制御手段とを有する。生成手段は、患者の患者情報に基づいてネットワークアクセス情報を生成する。照合手段は、ネットワークアクセス情報に基づいて構築された通信ネットワークを介してデータ生成デバイスから参照情報を取得すると共に、参照情報を、患者情報に含まれる基準情報に照合する。取得手段は、照合の結果、参照情報と基準情報とが同一患者を表すと判断された場合に、構築された通信ネットワークを介してデータ生成デバイスから複数の非ＤＩＣＯＭデータを取得する。表示制御手段は、複数の非ＤＩＣＯＭデータのそれぞれを、データ管理装置に登録すべき第１の非ＤＩＣＯＭデータ又はその他の第２の非ＤＩＣＯＭデータに分類し、第１の非ＤＩＣＯＭデータ及び第２の非ＤＩＣＯＭデータを互いに識別可能なように表示部に表示する。
【図面の簡単な説明】
【０００９】
【図１】図１は、第１実施形態に係る医用情報管理システムの全体構成を示す概略図。
【図２】図２は、第１実施形態に係る医用情報管理システムにおいて、患者情報を含むリストの一例を示す図。
【図３】図３は、第１実施形態に係る医用情報管理システムの構成及び機能を説明するための図。
【図４】図４は、第１実施形態に係る医用情報管理システムの動作例をフローチャートとして示す図。
【図５】図５は、第１実施形態に係る医用情報管理システムの動作例をフローチャートとして示す図。
【図６】図６は、第１実施形態に係る医用情報管理システムの動作例をフローチャートとして示す図。
【図７】図７は、第１実施形態に係る医用情報管理装置における一覧画面及び登録結果を説明するための図。
【図８】図８は、第２実施形態に係る医用情報管理システムの全体構成を示す概略図。
【図９】図９は、第２実施形態に係る医用情報管理システムの構成及び機能を説明するための図。
【図１０】図１０は、第２実施形態に係る医用情報管理システムの動作例をフローチャートとして示す図。
【図１１】図１１は、第２実施形態に係る医用情報管理システムの動作例をフローチャートとして示す図。
【図１２】図１２は、第２実施形態に係る医用情報管理システムの動作例をフローチャートとして示す図。
【図１３】図１３は、第３実施形態に係る医用情報管理システムの全体構成を示す概略図。
【発明を実施するための形態】
【００１０】
図面を参照しながら、医用情報管理装置及び医用情報管理システムの実施形態について詳細に説明する。
【００１１】
１．第１実施形態
図１は、第１実施形態に係る医用情報管理システムの全体構成を示す概略図である。
【００１２】
図１は、第１実施形態に係る医用情報管理システム１を示す。医用情報管理システム１は、患者情報発生装置１０、医用情報管理装置１１、アクセスポイント（Wireless LAN Access Point）１２、データ生成デバイス（例えば、光学カメラ）１３、及びＶＮＡ１４を備える。患者情報発生装置１０、医用情報管理装置１１、アクセスポイント１２、及びＶＮＡ１４は、有線ＬＡＮ（Local Area Network）等の通信ネットワークＮ１を介して相互に接続可能である。また、データ生成デバイス１３は、無線ＬＡＮ等の通信ネットワークＮ２を介して、アクセスポイント１２に相互に接続可能である。
【００１３】
また、医用情報管理装置１１、アクセスポイント１２、及びデータ生成デバイス１３は、医者等の操作者Ｄと患者Ｐとが居る診察室に設けられる。操作者Ｄは、診察室にて患者Ｐの診察を行うと共に、患者Ｐに係る非ＤＩＣＯＭデータの登録を指示する者である。患者Ｐは、診察室にて操作者Ｄによる診察を受ける者であり、操作者Ｄによって登録指示される非ＤＩＣＯＭデータに対応付けられる患者情報をもつ者である。
【００１４】
患者情報発生装置１０は、ＨＩＳ（Hospital Information Systems）、ＲＩＳ（Radiology Information Systems）、診療受付装置、医用画像診断装置、電子カルテサーバ、及びＭＷＭ（Modality Worklist Management）サーバ等を含む。診療受付装置は、患者から診療要請を受け付けると、患者情報を含む受付票を生成する装置である。医用画像診断装置は、患者情報を含む医用画像のファイルを生成する装置であり、例えば、Ｘ線ＣＴ装置、ＭＲＩ装置、及び超音波診断装置等の装置を含む。電子カルテサーバは、患者情報を含む電子カルテを保有し、クライアントからの要求に応じて電子カルテを提供するサーバである。ＭＷＭサーバは、医用画像診断装置に、患者情報を含む検査の予約情報（オーダ）を配信するサーバである。患者情報発生装置１０は、患者情報を発生する。また、患者情報発生装置１０は、患者情報を、通信ネットワークＮ１を介して医用情報管理装置１１に送信する。
【００１５】
図２は、医用情報管理システム１において、患者情報を含むリストの一例を示す図である。
【００１６】
図２に示すように、リストは、複数の患者に係る複数の患者情報を含む。各患者情報は、患者の氏名（患者名）、ＩＤ（Identification）、身長、体重、及び基準情報等を含む。基準情報は、画像情報及びバーコード情報等を含む。画像情報は、画像として収集できる情報を示し、顔画像情報、保険証画像情報、診察券画像情報等の、光学カメラで収集できる画像情報や、指紋等の生体情報に基づく画像情報を含む。顔画像情報は、各患者の顔を撮影して取得された画像情報である。保険証画像情報は、各患者が保有する保険証を撮影して取得された画像情報である。診察券情報は、各患者が保有する診察券を撮影して取得された画像情報である。バーコード情報は、各患者を識別するためのバーコード（縞模様）によって識別される数値や文字を示す情報である。
【００１７】
図３は、医用情報管理システム１の構成及び機能を説明するための図である。
【００１８】
医用情報管理装置１１は、処理回路２１、記憶回路２２、入力回路２３、及びディスプレイ２４を備える。
【００１９】
処理回路２１は、専用又は汎用のＣＰＵ（Central Processing Unit）又はＭＰＵ（Micro Processor Unit）の他、特定用途向け集積回路（ＡＳＩＣ）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ）等の回路が挙げられる。処理回路２１は、記憶回路２２に記憶された、又は、処理回路２１内に直接組み込まれたプログラムを読み出し実行することで後述する機能を実現する。
【００２０】
また、処理回路２１は、単一の処理回路によって構成されてもよいし、独立した複数の処理回路の組み合わせによって構成されていてもよい。後者の場合、記憶回路２２が、複数の処理回路にそれぞれ対応する複数の記憶回路を有してもよいし、記憶回路２２が、複数の処理回路に対応する１個の記憶回路を有してもよい。
【００２１】
記憶回路２２は、ＲＡＭ（Random Access Memory）、フラッシュメモリ（Flash Memory）等の半導体メモリ素子、ハードディスク、及び光ディスク等を備える。記憶回路２２は、ＵＳＢ（Universal Serial bus）メモリ及びＤＶＤ（Digital Video Disk）等の可搬型メディアを備えてもよい。記憶回路２２は、処理回路２１において用いられる各種処理プログラム（アプリケーションプログラムの他、ＯＳ（Operating System）等も含まれる）や、プログラムの実行に必要なデータや、医用画像を記憶する。また、ＯＳに、操作者Ｄに対するディスプレイ２４への情報の表示にグラフィックを多用し、基礎的な操作を入力回路２３によって行うことができるＧＵＩ（Graphical User Interface）を含めることもできる。
【００２２】
記憶回路２２は、患者情報を含むリスト（図２に図示）を記憶する。患者情報を含むリストは、診療受付装置等の患者情報発生装置１０から送信される。
【００２３】
入力回路２３は、操作者Ｄによって操作が可能な入力デバイスからの信号を入力する回路であり、ここでは、入力デバイス自体も入力回路２３に含まれるものとする。入力デバイスは、ポインティングデバイス（例えばマウス）、キーボード、及び各種ボタン等を含む。操作者Ｄにより入力デバイスが操作されると、入力回路２３はその操作に応じた入力信号を生成して処理回路２１に出力する。なお、医用情報管理装置１１は、入力デバイスがディスプレイ２４と一体に構成されたタッチパネルを備えてもよい。
【００２４】
ディスプレイ２４は、液晶ディスプレイパネル、プラズマディスプレイパネル、及び有機ＥＬ（Electro Luminescence）パネル等の表示デバイスである。
【００２５】
医用情報管理装置１１の処理回路２１は、プログラムを実行することで、生成手段（例えば生成機能）３１、照合手段（例えば照合機能）３２、取得手段（例えば取得機能）３３、表示制御手段（例えば表示制御機能）３４、及び登録手段（例えば登録機能）３５を実現する。なお、機能３１〜３５の全部又は一部は、医用情報管理装置１１にハードウェアとして備えられるものであってもよい。
【００２６】
生成機能３１は、患者情報取得機能４１及びネットワークアクセス情報生成機能４２を含む。患者情報取得機能４１は、患者情報発生装置１０で発生し記憶回路２２に記憶された患者情報（例えば、患者ＩＤ）を取得する機能である。患者情報の例は、図２を用いて上述した。
【００２７】
ネットワークアクセス情報生成機能４２は、患者情報取得機能４１によって取得された患者情報に基づいてネットワークアクセス情報を生成し、ネットワークアクセス情報を、アクセスポイント１２を介してデータ生成デバイス１３に提示する機能である。例えば、ネットワークアクセス情報生成機能４２は、ネットワークアクセス情報として、ＳＳＩＤ（Service Set Identifier）を生成する。ＳＳＩＤとは、通信ネットワークＮ２がＷｉＦｉである場合のアクセスポイント１２の識別名である。
【００２８】
照合機能３２は、ネットワークアクセス情報に基づいて構築された通信ネットワークＮ２を介してデータ生成デバイス１３から参照情報を取得する機能である。また、照合機能３２は、取得された参照情報を、患者情報取得機能４１によって取得された患者情報に含まれる基準情報に照合する機能である。
【００２９】
取得機能３３は、照合機能３２による照合の結果、参照情報と基準情報とが同一患者を表すと判断された場合に、ネットワークアクセス情報に基づいて構築された通信ネットワークＮ２を介してデータ生成デバイス１３から複数の非ＤＩＣＯＭデータを取得する機能である。ここで、複数の非ＤＩＣＯＭデータは、複数のデータセットを意味し、ＶＮＡ１４に登録すべき非ＤＩＣＯＭデータ（以下、「第１の非ＤＩＣＯＭデータ」という）と、その他の非ＤＩＣＯＭデータ（以下、「第２の非ＤＩＣＯＭデータ」という）とを含む。
【００３０】
表示制御機能３４は、取得機能３３によって取得された複数の非ＤＩＣＯＭデータのそれぞれを、第１の非ＤＩＣＯＭデータ又は第２の非ＤＩＣＯＭデータに分類し、第１の非ＤＩＣＯＭデータ及び第２の非ＤＩＣＯＭデータを互いに識別可能なようにディスプレイ２４に表示する機能である。
【００３１】
登録機能３５は、取得機能３３によって取得された複数の非ＤＩＣＯＭデータの一部である登録対象の非ＤＩＣＯＭデータをＶＮＡ１４に登録する機能である。また、登録機能３５は、登録対象の非ＤＩＣＯＭデータを、患者情報と対応付けてＶＮＡ１４に登録する機能を含むことが好適である。
【００３２】
例えば、登録機能３５は、操作者Ｄ又は登録管理者の選択操作により、（Ａ）第１の非ＤＩＣＯＭデータの全部を登録対象の非ＤＩＣＯＭデータとしてＶＮＡ１４に登録してもよいし、（Ｂ）第１の非ＤＩＣＯＭデータの一部のみを登録対象の非ＤＩＣＯＭデータとしてＶＮＡ１４に登録してもよいし、（Ｃ）第１の非ＤＩＣＯＭデータと、第２の非ＤＩＣＯＭデータの一部とを登録対象の非ＤＩＣＯＭデータとしてＶＮＡ１４に登録してもよいし、（Ｄ）第１の非ＤＩＣＯＭデータの一部と、第２の非ＤＩＣＯＭデータの一部とを登録対象の非ＤＩＣＯＭデータとしてＶＮＡ１４に登録してもよい。操作者Ｄ又は登録管理者による登録対象の非ＤＩＣＯＭデータの選択操作は、例えば、表示制御機能３４によって表示される一覧画面（図７に図示）によって行われる。
【００３３】
なお、上述した機能３１〜３５の詳細については、図４〜図６を用いて後述する。
【００３４】
アクセスポイント１２は、無線ＬＡＮクライアント（無線端末）としてのデータ生成デバイス１３を、通信ネットワークＮ１に接続する無線機である。
【００３５】
データ生成デバイス１３は、ディスプレイ１３ａを備えるノートパソコン、スマートフォン、及び光学カメラ等の無線ＬＡＮクライアントである。ここで、非ＤＩＣＯＭデータは、例えば、一般的な光学カメラで撮られたＪＰＧ形式及びＰＮＧ形式等の画像データや、文字情報を含むテキスト形式及びＨＴＭＬ形式等のデータや、ＭＰＥＧ形式等の動画像データや、心電図等の波形データを含む。データ生成デバイス１３の所有者は、操作者Ｄの場合もあるが、患者Ｐの場合もある。データ生成デバイス１３の所有者が患者Ｐである場合、患者Ｐは、自身の診察の際、予め非ＤＩＣＯＭデータが作成され記憶されたデータ生成デバイス１３を診察室に持ち込む。以下、特に言及しない限り、データ生成デバイス１３が光学カメラである場合について説明する。
【００３６】
ＶＮＡ１４は、ＤＩＣＯＭデータ及び非ＤＩＣＯＭデータを一元的に記憶及び管理するデータ管理装置の一種である。ＶＮＡ１４は、医用情報管理装置１１の制御により、光学カメラ１３によって生成され、適切な患者情報が対応付けられた非ＤＩＣＯＭデータを一括して管理できるアーカイブシステムである。非ＤＩＣＯＭデータと患者情報との対応付けは、非ＤＩＣＯＭデータのデータファイルに患者情報をタグ付けすることによって行われてもよいし、非ＤＩＣＯＭデータと患者情報とを対応付けたテーブルを別途保有することによって行われてもよい。
【００３７】
続いて、図４〜図６を用いて、医用情報管理システム１の動作について説明する。
【００３８】
図４〜図６は、医用情報管理システム１の動作例をフローチャートとして示す図である。
【００３９】
図４〜図６に示す医用情報管理システム１の動作は、光学カメラ１３に記憶された複数の非ＤＩＣＯＭデータのうち登録対象の非ＤＩＣＯＭデータがＶＮＡ１４に登録される際に、登録対象の非ＤＩＣＯＭデータに適切な患者情報を対応付けた上でＶＮＡ１４に登録するために行われる。光学カメラ１３に記憶された複数の非ＤＩＣＯＭデータには元々患者情報が対応付けられてないので、従来技術では、操作者の操作により対応付けが行われていた。
【００４０】
図４に示すように、ＨＩＳ等の患者情報発生装置１０は、通信ネットワークＮ１を介して医用情報管理装置１１に患者情報のリスト（図２に図示）を送信する（ステップＳＴ１）。
【００４１】
医用情報管理装置１１は、ステップＳＴ１により送信され記憶回路２２に記憶された患者情報のリストを取得する（ステップＳＴ２）。医用情報管理装置１１は、ステップＳＴ２によって取得された患者情報のリストの中から所定の患者Ｐを設定すると共に、操作者Ｄは、患者Ｐを診察室に入室させる（ステップＳＴ３）。患者Ｐの設定は、リストの上位者を優先するように自動的に行われてもよいし、操作者Ｄの選択により任意に設定されるものであってもよい。また、患者Ｐの設定は、リストに因らず、医用情報管理装置１１に対する操作者Ｄの手入力により行われてもよい。以下、医用情報管理装置１１が、ステップＳＴ３において、図２に示すリストの上位である患者名「特許太郎」を患者Ｐとして設定し、患者名「特許太郎」に相当する患者Ｐを入室させる場合について説明する。
【００４２】
医用情報管理装置１１は、ステップＳＴ３によって設定された患者名「特許太郎」の患者Ｐに係る患者情報に基づいて、ネットワークアクセス情報として、アクセスポイント１２のＳＳＩＤを生成する（ステップＳＴ４）。医用情報管理装置１１は、ステップＳＴ４において、患者名「特許太郎」の患者Ｐに係る患者情報としてのＩＤ「Ａ０１」から、「Ａ０１」を含むＳＳＩＤを生成する。
【００４３】
例えば、医用情報管理装置１１は、ステップＳＴ４において、「Ａ０１」を含むＳＳＩＤとして、ＩＤ「Ａ０１」のみを含むＳＳＩＤ「Ａ０１」や、デフォルト「ＸＸＸ」及びＩＤ「Ａ０１」を含むＳＳＩＤ「ＸＸＸＡ０１」等を生成する。以下、医用情報管理装置１１が、ステップＳＴ４において、デフォルト「ＸＸＸ」及びＩＤ「Ａ０１」を含むＳＳＩＤ「ＸＸＸＡ０１」を生成する場合について説明する。
【００４４】
医用情報管理装置１１は、ステップＳＴ４によって生成されたＳＳＩＤ「ＸＸＸＡ０１」を、アクセスポイント１２を介して光学カメラ１３に提示する（ステップＳＴ５）。光学カメラ１３のディスプレイ１３ａ（図３に図示）には、ＳＳＩＤ「ＸＸＸＡ０１」が表示される。なお、アクセスポイント１２以外のアクセスポイントについては、ステルスモードとすることが好適である。また、光学カメラ１３のシリアル番号等を用いてネットワークアクセスできるデバイスが予め制限されていてもよい。
【００４５】
操作者Ｄは、ステップＳＴ３により設定されディスプレイ２４に表示された患者名「特許太郎」、即ち、診察室に居る患者名「特許太郎」の患者Ｐに係るＩＤ「Ａ０１」と、光学カメラ１３のディスプレイ１３ａに表示されたアクセスポイント１２のＳＳＩＤ「ＸＸＸＡ０１」とを比較する。比較の結果、操作者Ｄが、診察室に居る患者名「特許太郎」の患者Ｐに係るＩＤ「Ａ０１」と、アクセスポイント１２のＳＳＩＤ「ＸＸＸＡ０１」のＩＤ部分「Ａ０１」とが一致すると判断する。
【００４６】
光学カメラ１３は、操作者Ｄの操作により、ＳＳＩＤ「ＸＸＸＡ０１」によりアクセスポイント１２への接続を要求する（ステップＳＴ６）。その結果、光学カメラ１３は、ＳＳＩＤ「ＸＸＸＡ０１」に基づいて構築された通信ネットワークＮ２を介して医用情報管理装置１１に接続される（ステップＳＴ７）。
【００４７】
上述したステップＳＴ４〜ＳＴ７の接続によれば、非ＤＩＣＯＭデータに対応付けを行おうとする患者情報の適否を、光学カメラ１３が医用情報管理装置１１に接続される際にＳＳＩＤを使って操作者Ｄに判断させることができる。従って、従来技術において問題であった対応付けの際の患者情報の取り違えを、光学カメラ１３が医用情報管理装置１１に接続される際に防止することができる。
【００４８】
ステップＳＴ７に続いて、操作者Ｄが光学カメラ１３を用い、診察室に居る患者名「特許太郎」の患者Ｐの撮影対象、例えば患部を撮影することで、光学カメラ１３は患者名「特許太郎」の患者Ｐに係る複数の非ＤＩＣＯＭデータを生成する（ステップＳＴ８）。なお、ステップＳＴ８は、ステップＳＴ７によって通信ネットワークＮ２が構築される前に行われることもある。
【００４９】
また、操作者Ｄが光学カメラ１３を用い、診察室に居る患者名「特許太郎」の患者Ｐの顔を撮影することで、光学カメラ１３は患者名「特許太郎」の患者Ｐに係る顔画像情報を生成する（ステップＳＴ９）。ここで、図２に示す参照情報がバーコード情報である場合、操作者Ｄが光学カメラ１３のバーコードリーダ機能を用い、診察室に居る患者名「特許太郎」の患者Ｐの手首等に装着されたリボンのバーコードを読み取ることで、光学カメラ１３は患者名「特許太郎」の患者Ｐに係るバーコード情報を生成する（ステップＳＴ９）。
【００５０】
光学カメラ１３は、ＳＳＩＤ「ＸＸＸＡ０１」に基づいて構築された通信ネットワークＮ２と通信ネットワークＮ１とを介して医用情報管理装置１１に、ステップＳＴ９によって生成された患者名「特許太郎」の患者Ｐに係る顔画像情報を送信する（ステップＳＴ１０）。
【００５１】
図５の説明に移って、医用情報管理装置１１は、ステップＳＴ１０によって送信された顔画像情報を、ステップＳＴ３によって設定された患者名「特許太郎」に係る患者情報に含まれる顔画像情報に照合する（ステップＳＴ１１）。ここで、２個の顔画像情報の照合は、例えば、特徴点抽出を使ったパターンマッチング（文字列マッチングを含む）等によって実現可能である。
【００５２】
医用情報管理装置１１は、ステップＳＴ１０によって送信された顔画像情報と、ステップＳＴ３によって設定された顔画像情報とが一致するか、即ち、両顔画像情報が同一患者を表すか否かを判断する（ステップＳＴ１２）。つまり、医用情報管理装置１１は、診察室に居る患者に係る非ＤＩＣＯＭデータに対応する顔画像情報と、その非ＤＩＣＯＭデータと対応付けを行おうとする患者情報に含まれる顔画像情報との一致を判断することで、非ＤＩＣＯＭデータを患者情報に対応付けてよいか否かを判断する。
【００５３】
ステップＳＴ１２の判断にてＹＥＳ、即ち、送信された顔画像情報と患者情報に含まれる顔画像情報とが一致すると判断される場合、医用情報管理装置１１は、通信ネットワークＮ１，Ｎ２を介して光学カメラ１３に非ＤＩＣＯＭデータの送信を要求する（ステップＳＴ１３）。
【００５４】
一方で、ステップＳＴ１２の判断にてＮＯ、即ち、送信された顔画像情報と患者情報に含まれる顔画像情報とが一致しないと判断される場合、医用情報管理装置１１は、その旨を光学カメラ１３に提示する。そして、光学カメラ１３は、再度、参照情報として患者名「特許太郎」の患者Ｐに係る顔画像情報を生成する（図４のステップＳＴ９）。
【００５５】
ステップＳＴ１３に続いて、操作者Ｄの操作に従って光学カメラ１３は、ステップＳＴ８によって生成された非ＤＩＣＯＭデータを、通信ネットワークＮ２，Ｎ１を介して医用情報管理装置１１に送信する（ステップＳＴ１４）。ここで、光学カメラ１３は、非ＤＩＣＯＭデータに所定の処理を施し、処理後の非ＤＩＣＯＭデータを通信ネットワークＮ２，Ｎ１を介して医用情報管理装置１１に送信してもよい。所定の処理としては、セキュリティ確保のための暗号化処理や、データサイズの縮小を目的とした圧縮処理等が挙げられる。光学カメラ１３は、非ＤＩＣＯＭデータに、暗号化処理及び圧縮処理のうち少なくとも一方を施すことができる。
【００５６】
上述したステップＳＴ９（図４に図示）〜ＳＴ１４のように、光学カメラ１３による非ＤＩＣＯＭデータに対応付けを行おうとする患者情報の適否を、光学カメラ１３から非ＤＩＣＯＭデータが送信される際に医用情報管理装置１１が判断することができる。従って、従来技術において問題であった対応付けの際の患者情報の取り違えを、光学カメラ１３が医用情報管理装置１１に接続される際（ステップＳＴ４〜ＳＴ７）と、非ＤＩＣＯＭデータが送信される際（ステップＳＴ１０〜ＳＴ１４）とで防止することができる。
【００５７】
医用情報管理装置１１は、ステップＳＴ１４によって送信された非ＤＩＣＯＭデータを受信し、非ＤＩＣＯＭデータを、ステップＳＴ４（図４に図示）によって生成されたＳＳＩＤ「ＸＸＸＡ０１」に対応する患者情報に対応付けて記憶回路２２に一次的に保存する（ステップＳＴ１５）。ここで、暗号化処理が施された非ＤＩＣＯＭデータが光学カメラ１３から受信された場合、医用情報管理装置１１は、暗号化処理が施された非ＤＩＣＯＭデータに対して復号処理を施した上で対応付けを行う。また、圧縮処理が施された非ＤＩＣＯＭデータが光学カメラ１３から受信された場合、医用情報管理装置１１は、圧縮処理が施された非ＤＩＣＯＭデータに対して解凍処理を施した上で対応付けを行う。
【００５８】
医用情報管理装置１１は、光学カメラ１３から、同一の患者名「特許太郎」の患者Ｐに係る他の非ＤＩＣＯＭデータの送信要求がないか否かを判断する（ステップＳＴ１６）。ステップＳＴ１６の判断にてＹＥＳ、即ち、光学カメラ１３から、同一の患者名「特許太郎」の患者Ｐに係る他の非ＤＩＣＯＭデータの送信要求がないと判断される場合、医用情報管理装置１１は、ステップＳＴ４（図４に図示）によって生成されたＳＳＩＤ「ＸＸＸＡ０１」を破棄すると共に、操作者Ｄは、患者名「特許太郎」の患者Ｐを診察室から退出させる（ステップＳＴ１７）。
【００５９】
なお、医用情報管理装置１１は、ステップＳＴ１６，ＳＴ１７において、予め設定された時間の経過後に、患者ＰのＩＤ「Ａ０１」に基づくＳＳＩＤ「ＸＸＸＡ０１」を破棄してもよい。また、医用情報管理装置１１は、ステップＳＴ１６，ＳＴ１７において、操作者Ｄの操作により入力回路２３（図３に図示）から入力された破棄指示により、患者ＰのＩＤ「Ａ０１」に基づくＳＳＩＤ「ＸＸＸＡ０１」を破棄してもよい。さらに、医用情報管理装置１１は、ステップＳＴ１６，ＳＴ１７において、患者Ｐのスケジュール、例えば、検査の予約情報に基づく次の予定により、患者ＰのＩＤ「Ａ０１」に基づくＳＳＩＤ「ＸＸＸＡ０１」を破棄してもよい。
【００６０】
また、医用情報管理装置１１は、ＳＳＩＤ「ＸＸＸＡ０１」を破棄する場合、光学カメラ１３に記憶された、ＳＳＩＤ「ＸＸＸＡ０１」に対応する非ＤＩＣＯＭデータ及び顔画像情報の削除を光学カメラ１３に要求してもよい。
【００６１】
一方で、ステップＳＴ１６の判断にてＮＯ、即ち、光学カメラ１３から、同一の患者名「特許太郎」の患者Ｐに係る他の非ＤＩＣＯＭデータの送信要求があると判断される場合、医用情報管理装置１１は、通信ネットワークＮ１，Ｎ２を介して光学カメラ１３に他の非ＤＩＣＯＭデータの送信を要求する（ステップＳＴ１３）。ステップＳＴ１３〜ＳＴ１６を繰り返すことにより、ステップＳＴ７（図４に図示）によって構築された通信ネットワークＮ２がステップＳＴ１７で破棄されるまでの間、同一患者につき複数の非ＤＩＣＯＭデータを、光学カメラ１３から医用情報管理装置１１に送信することができる。
【００６２】
ステップＳＴ１７に続いて、医用情報管理装置１１は、ステップＳＴ２（図４に図示）によって取得された患者情報のリスト（図２に図示）に基づいて、診察室に入室させるべき次の患者が居ないか否かを判断する（ステップＳＴ１８）。ステップＳＴ１８の判断にてＹＥＳ、即ち、次の患者が居ないと判断される場合、医用情報管理装置１１は、動作を終了する。
【００６３】
一方で、ステップＳＴ１８の判断にてＮＯ、即ち、次の患者が居ると判断される場合、医用情報管理装置１１は、ステップＳＴ２によって取得された患者情報のリスト（図２に図示）の中から次の患者名「実案花子」の患者Ｐを設定すると共に、操作者Ｄは、次の患者名「実案花子」の患者Ｐを診察室に入室させる（図４のステップＳＴ３）。
【００６４】
以上のように、ステップＳＴ３（図４に図示）〜ＳＴ１８を繰り返すことで、医用情報管理装置１１は、図２に示す患者情報を含むリストに従って複数のＳＳＩＤを順次生成することで、動的なＳＳＩＤを設定することができる。
【００６５】
図６の説明に移って、医用情報管理装置１１は、操作者Ｄ又は登録管理者（図示しない）の要求に従って、ステップＳＴ１５（図５に図示）によって記憶回路２２に一次的に保存された、患者情報が対応付けられた複数の非ＤＩＣＯＭデータの一覧を含む一覧画面をディスプレイ２４に表示する（ステップＳＴ１９）。医用情報管理装置１１は、ステップＳＴ１９において、一次的に保存された複数の非ＤＩＣＯＭデータを、第１の非ＤＩＣＯＭデータ又は第２の非ＤＩＣＯＭデータに分類し、第１の非ＤＩＣＯＭデータ及び第２の非ＤＩＣＯＭデータを互いに識別可能なようにディスプレイ２４に表示することができる。
【００６６】
医用情報管理装置１１は、一覧画面において、各非ＤＩＣＯＭデータと患者情報との対応付けの適否の最終確認を操作者Ｄ又は登録管理者に促すと共に、第２の非ＤＩＣＯＭデータの記憶回路２２（図３に図示）からの削除を操作者Ｄ又は登録管理者に要求することができる。
【００６７】
ここで、医用情報管理装置１１が、複数の非ＤＩＣＯＭデータを、第１の非ＤＩＣＯＭデータ又は第２の非ＤＩＣＯＭデータに分類する方法について説明する。
【００６８】
医用情報管理装置１１は、ステップＳＴ１５によって一次保存された複数の非ＤＩＣＯＭデータのそれぞれについて、ＶＮＡ１４に蓄積された過去の複数の非ＤＩＣＯＭデータに対する関連度を算出する。医用情報管理装置１１は、算出された関連度に応じて、一次保存された複数の非ＤＩＣＯＭデータをそれぞれ、第１の非ＤＩＣＯＭデータ又は第２の非ＤＩＣＯＭデータに分類する。
【００６９】
例えば、医用情報管理装置１１は、一次保存された複数の非ＤＩＣＯＭデータに係る診療目的（例えば、脚の火傷等の疾病名）と同一診療目的に係る過去の複数の非ＤＩＣＯＭデータ（患者名は問わない）をＶＮＡ１４から取得し、一次保存された各非ＤＩＣＯＭデータの、過去の複数の非ＤＩＣＯＭデータに対する関連度をスコアとして算出する。続いて、医用情報管理装置１１は、一次保存された各非ＤＩＣＯＭデータの関連度のスコアに応じて、一次保存された各非ＤＩＣＯＭデータを第１の非ＤＩＣＯＭデータ又は第２の非ＤＩＣＯＭデータに分類する。例えば、関連度を１０段階のスコア（１点〜１０点）で表す場合、医用情報管理装置１１は、関連度が比較的高いスコア（６点〜１０点）に対応する非ＤＩＣＯＭデータを第１の非ＤＩＣＯＭデータとすればよい。
【００７０】
具体的には、医用情報管理装置１１は、一次保存された複数の非ＤＩＣＯＭデータに係る診療目的が「脚の火傷」の場合、一次保存された各非ＤＩＣＯＭデータ（各画像データ）が示す撮影対象（例えば脚）及び撮影角度（例えば正面）に応じた関連度のスコアを求める。その算出は、ＶＮＡ１４に登録され、診療目的「脚の火傷」に係る過去の複数の非ＤＩＣＯＭデータ（複数の画像データ）に基づく。医用情報管理装置１１は、一次保存された各非ＤＩＣＯＭデータの関連度のスコアを、機械学習、例えば深層学習（Deep Learning）により求めてもよい。
【００７１】
なお、一次保存された複数の非ＤＩＣＯＭデータに係る診療目的と同一診療目的に係る過去の複数の非ＤＩＣＯＭデータから関連度をスコアとして算出する場合について説明したが、その場合に限定されるものではない。例えば、医用情報管理装置１１は、一次保存された複数の非ＤＩＣＯＭデータに対応するＤＩＣＯＭデータ（医用画像データ）の撮影部位と同一撮影部位のＤＩＣＯＭデータに対応する過去の複数の非ＤＩＣＯＭデータから関連度をスコアとして算出してもよい。
【００７２】
図７は、医用情報管理装置１１における一覧画面及び登録結果を説明するための図である。
【００７３】
図７の左側は、記憶回路２２に一次的に保存され、患者情報、例えば、患者名「特許太郎」対応付けられた４個の非ＤＩＣＯＭデータの一覧画面を示す。操作者Ｄ又は登録管理者は、図７の左側の一覧画面を見ながら、患者名「特許太郎」が対応付けられた４個の非ＤＩＣＯＭデータのＶＮＡ１４への登録の適否を最終判断する。
【００７４】
図７の左側は、関連度のスコアが「６点」以上である２個の第１の非ＤＩＣＯＭデータが、関連度のスコアが「６点」未満である２個の第２の非ＤＩＣＯＭデータから識別可能な一覧画面を示す。一覧画面では、関連度のスコアに応じて、４個の非ＤＩＣＯＭデータの表示態様が異なる。例えば、４個の非ＤＩＣＯＭデータのうち２個の第１の非ＤＩＣＯＭデータのみが強調表示されている。
【００７５】
図７の左側の一覧画面によれば、診療目的「上腕の裂傷」の患者に係る足の画像データや、患者の身体を含まない画像データ等を示す非ＤＩＣＯＭデータに係る関連度のスコアを低くして、当該非ＤＩＣＯＭデータを第２の非ＤＩＣＯＭデータに分類してその旨を表示することができる。それにより、操作者Ｄ又は登録管理者が一覧画面上で登録不要な非ＤＩＣＯＭデータの削除指示を行う際の時間を短縮することができる。また、操作者Ｄ又は登録管理者は、関連度のスコアの高い画像データから順に確認できるので、診療のスループットを上げることができる。
【００７６】
また、同一診療目的に係る過去の複数の非ＤＩＣＯＭデータに基づく分類に加えて、又は、代替して、４個の非ＤＩＣＯＭデータ相互の比較結果に基づいて、４個の非ＤＩＣＯＭデータが第１の非ＤＩＣＯＭデータ又は第２の非ＤＩＣＯＭデータに分類されてもよい。例えば、第２の非ＤＩＣＯＭデータに分類される非ＤＩＣＯＭデータは、他の画像データよりも画質が悪い画像データや、他の画像データに含まれる撮影対象とは異なる撮影対象を含む画像データ等である。この提示により、操作者Ｄ又は登録管理者が一覧画面上で登録不要な非ＤＩＣＯＭデータの削除指示を行う際の時間を短縮することができる。また、操作者Ｄ又は登録管理者は、関連度のスコアの高い画像データから順に確認できるので、診療のスループットを上げることができる。
【００７７】
また、図７の左側の一覧画面では、操作者Ｄ又は登録管理者は、ＶＮＡ１４に対して、患者名「特許太郎」に対応付けられた４個の非ＤＩＣＯＭデータの全て、つまり、第１及び第２の非ＤＩＣＯＭデータの全てを登録対象として一括して登録指示することもできるし、患者名「特許太郎」に対応付けられた４個の非ＤＩＣＯＭデータのうち一部（例えば、２個の第１の非ＤＩＣＯＭデータ）のみを登録対象として個別に登録指示することもできる。
【００７８】
操作者Ｄ又は登録管理者が、患者名「特許太郎」に対応付けられた４個の非ＤＩＣＯＭデータの全部を一括して登録指示すると、図７の右側に示すように、４個の非ＤＩＣＯＭデータにそれぞれ、患者名「特許太郎」が対応付けられた上でＶＮＡ１４に登録される。又は、操作者Ｄ又は登録管理者が、患者名「特許太郎」に対応付けられた４個の非ＤＩＣＯＭデータの１又は２個を部分的に登録指示すると、図７の右側に示すように、１又は２個の非ＤＩＣＯＭデータにそれぞれ、患者名「特許太郎」が対応付けられた上でＶＮＡ１４に登録される。
【００７９】
図６の説明に戻って、医用情報管理装置１１は、操作者Ｄ又は登録管理者（図示しない）の要求に従って、ステップＳＴ１９によって表示された、患者情報が対応付けられた登録対象の非ＤＩＣＯＭデータを、通信ネットワークＮ１を介してＶＮＡ１４に登録する（ステップＳＴ２０）。
【００８０】
なお、医用情報管理装置１１は、ステップＳＴ１９による対応関係の最終確認を必ずしも行う必要はない。その場合、医用情報管理装置１１は、ステップＳＴ２０において、予め設定された時間の経過後に、ステップＳＴ１５によって記憶回路２２に保存され患者情報が対応付けられた各非ＤＩＣＯＭデータを登録対象として、通信ネットワークＮ１を介してＶＮＡ１４に登録する。又は、医用情報管理装置１１は、ステップＳＴ２０において、ＶＮＡ１４からの非ＤＩＣＯＭデータの登録要求に応じて、ステップＳＴ１５によって記憶回路２２に保存され患者情報が対応付けられた各非ＤＩＣＯＭデータを登録対象として、通信ネットワークＮ１を介してＶＮＡ１４に登録する。
【００８１】
なお、医用情報管理装置１１は、ＨＴＴＰ（Hypertext Transfer Protocol）通信を利用して、記憶回路２２に一次的に保存された各非ＤＩＣＯＭデータを登録対象としてデータ管理装置としてのＶＮＡ１４に登録する。しかしながら、その場合に限定されるものではない。例えば、医用情報管理装置１１は、記憶回路２２に一次的に保存された各非ＤＩＣＯＭデータをＤＩＣＯＭ形式に変換してＤＩＣＯＭ通信を行うことで、変換後のＤＩＣＯＭデータを登録対象としてデータ管理装置としてのＤＩＣＯＭサーバ（図示しない）に登録することもできる。ＤＩＣＯＭサーバの一例として、医用画像情報システム（ＰＡＣＳ：Picture Archiving and Communication System）が挙げられる。
【００８２】
医用情報管理装置１１及び医用情報管理システム１によれば、複数の非ＤＩＣＯＭデータのそれぞれを第１の非ＤＩＣＯＭデータ又は第２の非ＤＩＣＯＭデータに分類してその旨を表示することで、ＶＮＡ１４への登録対象の非ＤＩＣＯＭデータの選択作業を効率化することができる。また、医用情報管理装置１１及び医用情報管理システム１によれば、複数の非ＤＩＣＯＭデータのそれぞれを第１の非ＤＩＣＯＭデータ又は第２の非ＤＩＣＯＭデータに分類してその旨を表示することで、登録不要な非ＤＩＣＯＭデータの登録を防止することができる。
【００８３】
また、医用情報管理装置１１及び医用情報管理システム１によれば、患者情報に基づいてＳＳＩＤを生成して光学カメラ１３に提示し、かつ、ＳＳＩＤに基づいて構築された通信ネットワークＮ２を介して光学カメラ１３から送信された参照情報を、患者情報に含まれる基準情報に照合することができる。それにより、医用情報管理装置１１及び医用情報管理システム１によれば、適切な患者情報が対応付けられた登録対象の非ＤＩＣＯＭデータのみをＶＮＡ１４等のデータ管理装置に登録することができる。
【００８４】
２．第２実施形態
図８は、第２実施形態に係る医用情報管理システムの全体構成を示す概略図である。
【００８５】
図８は、第２実施形態に係る医用情報管理システム１Ａを示す。医用情報管理システム１Ａは、患者情報発生装置１０、医用情報管理装置１１Ａ、データ生成デバイス１３、及びＶＮＡ１４を備える。患者情報発生装置１０、医用情報管理装置１１Ａ、データ生成デバイス１３、及びＶＮＡ１４は、有線ＬＡＮ等の通信ネットワークＮ１を介して相互に接続可能である。
【００８６】
また、医用情報管理装置１１Ａ及びデータ生成デバイス１３は、ＶＮＡ１４に非ＤＩＣＯＭデータを登録しようとする医者等の操作者Ｄと患者Ｐとが居る診察室に設けられる。
【００８７】
なお、図８に示す医用情報管理システム１Ａにおいて、図１に示す医用情報管理システム１に示す部材と同一部材には同一符号を付して説明を省略する。
【００８８】
図９は、医用情報管理システム１Ａの構成及び機能を説明するための図である。
【００８９】
医用情報管理装置１１Ａの処理回路２１は、プログラムを実行することで、生成手段（例えば生成機能）３１Ａ、照合手段（例えば照合機能）３２Ａ、取得手段（例えば取得機能）３３Ａ、表示制御手段（表示制御機能）３４Ａ、及び登録手段（例えば登録機能）３５Ａを実現する。なお、機能３１Ａ〜３５Ａの全部又は一部は、医用情報管理装置１１Ａにハードウェアとして備えられるものであってもよい。
【００９０】
生成機能３１Ａは、患者情報取得機能４１Ａ及びネットワークアクセス情報生成機能４２Ａを含む。患者情報取得機能４１Ａは、図３に示す患者情報取得機能４１と同様に、患者情報発生装置１０で発生し記憶回路２２に記憶された患者情報を取得する機能である。患者情報の例は、図２を用いて上述した。
【００９１】
ネットワークアクセス情報生成機能４２Ａは、患者情報取得機能４１Ａによって取得された患者情報に基づいてネットワークアクセス情報を生成する機能である。例えば、ネットワークアクセス情報生成機能４２Ａは、ネットワークアクセス情報として、通信ネットワークＮ１に接続するためのパスワード情報又はＶＬＡＮ（Virtual LAN）のタグ情報を生成する。ＶＬＡＮのタグ情報は、ＶＬＡＮ方式においてグループを構成するために、ネットワークを流れるフレームに付与されるタグ（識別番号）に関する情報を意味する。以下、特に言及しない限り、ネットワークアクセス情報生成機能４２Ａが、ネットワークアクセス情報としてパスワード情報を生成する場合について説明する。
【００９２】
照合機能３２Ａは、ネットワークアクセス情報に基づいて構築された通信ネットワークＮ１を介してデータ生成デバイス１３から参照情報を取得する機能である。また、照合機能３２Ａは、取得された参照情報を、患者情報取得機能４１Ａによって取得された患者情報に含まれる基準情報に照合する機能である。
【００９３】
取得機能３３Ａは、照合機能３２Ａによる照合の結果、参照情報と基準情報とが同一患者を表すと判断された場合に、ネットワークアクセス情報に基づいて構築された通信ネットワークＮ１を介してデータ生成デバイス１３から複数の非ＤＩＣＯＭデータを取得する機能である。
【００９４】
表示制御機能３４Ａは、取得機能３３Ａによって取得された複数の非ＤＩＣＯＭデータのそれぞれを、第１の非ＤＩＣＯＭデータ又は第２の非ＤＩＣＯＭデータに分類し、第１の非ＤＩＣＯＭデータ及び第２の非ＤＩＣＯＭデータを互いに識別可能なようにディスプレイ２４に表示する機能である。
【００９５】
登録機能３５Ａは、取得機能３３Ａによって取得された複数の非ＤＩＣＯＭデータの一部である登録対象の非ＤＩＣＯＭデータをＶＮＡ１４に登録する機能である。また、登録機能３５Ａは、登録対象の非ＤＩＣＯＭデータを、患者情報と対応付けてＶＮＡ１４に登録する機能を含むことが好適である。
【００９６】
なお、上述した機能３１Ａ〜３５Ａの詳細については、図１０〜図１２を用いて後述する。
【００９７】
続いて、図１０〜図１２を用いて、医用情報管理システム１Ａの動作について説明する。
【００９８】
図１０〜図１２は、医用情報管理システム１Ａの動作例をフローチャートとして示す図である。
【００９９】
図１０〜図１２に示す医用情報管理システム１Ａの動作は、光学カメラ１３に記憶された複数の非ＤＩＣＯＭデータのうち登録対象の非ＤＩＣＯＭデータがＶＮＡ１４に登録される際に、登録対象の非ＤＩＣＯＭデータに適切な患者情報を対応付けた上でＶＮＡ１４に登録するために行われる。光学カメラ１３に記憶された複数の非ＤＩＣＯＭデータには元々患者情報が対応付けられてないので、従来技術では、操作者の操作により対応付けが行われていた。
【０１００】
なお、図１０〜図１２において、図４〜図６に示すステップと同一ステップには同一符号を付して説明を省略する。
【０１０１】
図１０に示すように、医用情報管理装置１１Ａは、ステップＳＴ３によって設定された患者名「特許太郎」の患者Ｐに係る患者情報に基づいて、ネットワークアクセス情報として、通信ネットワークＮ１に接続するためのパスワード情報を生成する（ステップＳＴ２４）。医用情報管理装置１１Ａは、ステップＳＴ２４において、患者名「特許太郎」の患者Ｐに係る患者情報としてのＩＤ「Ａ０１」から、「Ａ０１」を含むパスワード情報を生成する。
【０１０２】
例えば、医用情報管理装置１１Ａは、ステップＳＴ２４において、「Ａ０１」を含むパスワード情報として、ＩＤ「Ａ０１」のみを含むパスワード情報「Ａ０１」や、デフォルト「ＸＸＸ」及びＩＤ「Ａ０１」を含むパスワード情報「ＸＸＸＡ０１」等を生成する。以下、医用情報管理装置１１Ａが、ステップＳＴ２４において、ＩＤ「Ａ０１」のみを含むパスワード情報「Ａ０１」を生成する場合について説明する。
【０１０３】
医用情報管理装置１１Ａは、光学カメラ１３にパスワード情報の入力を要求する（ステップＳＴ２５）。なお、光学カメラ１３のシリアル番号等を用いてネットワークアクセスできるデバイスが予め制限されていてもよい。
【０１０４】
操作者Ｄは、ステップＳＴ２５に従って、ステップＳＴ３により設定されディスプレイ２４に表示された患者名「特許太郎」、即ち、診察室に居る患者名「特許太郎」の患者Ｐに係るＩＤ「Ａ０１」に基づくパスワード情報「Ａ０１」を光学カメラ１３に入力する。光学カメラ１３は、操作者Ｄの操作により、パスワード情報「Ａ０１」により通信ネットワークＮ１への接続を要求する（ステップＳＴ２６）。
【０１０５】
操作者Ｄは、患者Ｐに係るＩＤがパスワード情報であることを予め知っている。その結果、光学カメラ１３は、パスワード情報「Ａ０１」に基づいて構築された通信ネットワークＮ１を介して医用情報管理装置１１Ａに接続される（ステップＳＴ２７）。
【０１０６】
上述したステップＳＴ２４〜ＳＴ２７の接続によれば、非ＤＩＣＯＭデータに対応付けを行おうとする患者情報の適否を、光学カメラ１３が医用情報管理装置１１Ａに接続される際にパスワード情報を使って医用情報管理装置１１Ａが判断することができる。従って、従来技術において問題であった対応付けの際の患者情報の取り違えを、光学カメラ１３が医用情報管理装置１１Ａに接続される際に防止することができる。
【０１０７】
ステップＳＴ２７に続いて、操作者Ｄが光学カメラ１３を用い、診察室に居る患者名「特許太郎」の患者Ｐの撮影対象、例えば患部を撮影することで、光学カメラ１３は患者名「特許太郎」の患者Ｐに係る複数の非ＤＩＣＯＭデータを生成する（ステップＳＴ２８）。なお、ステップＳＴ２８は、ステップＳＴ２７によって通信ネットワークＮ１が構築される前に行われることもある。
【０１０８】
また、操作者Ｄが光学カメラ１３を用い、診察室に居る患者名「特許太郎」の患者Ｐの顔を撮影することで、光学カメラ１３は患者名「特許太郎」の患者Ｐに係る顔画像情報を生成する（ステップＳＴ２９）。ここで、図２に示す参照情報がバーコード情報である場合、操作者Ｄが光学カメラ１３のバーコードリーダ機能を用い、診察室に居る患者名「特許太郎」の患者Ｐの手首等に装着されたリボンのバーコードを読み取ることで、光学カメラ１３は患者名「特許太郎」の患者Ｐに係るバーコード情報を生成する（ステップＳＴ２９）。
【０１０９】
光学カメラ１３は、パスワード情報「Ａ０１」に基づいて構築された通信ネットワークＮ１を介して医用情報管理装置１１Ａに、ステップＳＴ２９によって生成された患者名「特許太郎」の患者Ｐに係る顔画像情報を送信する（ステップＳＴ３０）。なお、参照情報がＶＬＡＮのタグ情報である場合、光学カメラ１３は、スイッチによって、タグ情報が同じ医用情報管理装置１１Ａのみに顔画像情報を送信する。
【０１１０】
図１１の説明に移って、医用情報管理装置１１Ａは、ステップＳＴ３０によって送信された顔画像情報を、ステップＳＴ３によって設定された患者名「特許太郎」に係る患者情報に含まれる顔画像情報に照合する（ステップＳＴ３１）。ここで、２個の顔画像情報の照合は、例えば、特徴点抽出を使ったパターンマッチング（文字列マッチングを含む）等によって実現可能である。
【０１１１】
医用情報管理装置１１Ａは、ステップＳＴ３０によって送信された顔画像情報と、ステップＳＴ３によって設定された顔画像情報とが一致するか、即ち、両顔画像情報が同一患者を表すか否かを判断する（ステップＳＴ３２）。つまり、医用情報管理装置１１Ａは、診察室に居る患者に係る非ＤＩＣＯＭデータに対応する顔画像情報と、その非ＤＩＣＯＭデータと対応付けを行おうとする患者情報に含まれる顔画像情報との一致を判断することで、非ＤＩＣＯＭデータを患者情報に対応付けてよいか否かを判断する。
【０１１２】
ステップＳＴ３２の判断にてＹＥＳ、即ち、送信された顔画像情報と患者情報に含まれる顔画像情報とが一致すると判断される場合、医用情報管理装置１１Ａは、通信ネットワークＮ１を介して光学カメラ１３に非ＤＩＣＯＭデータの送信を要求する（ステップＳＴ３３）。
【０１１３】
一方で、ステップＳＴ３２の判断にてＮＯ、即ち、送信された顔画像情報と患者情報に含まれる顔画像情報とが一致しないと判断される場合、医用情報管理装置１１Ａは、その旨を光学カメラ１３に提示する。そして、光学カメラ１３は、再度、参照情報として患者名「特許太郎」の患者Ｐに係る顔画像情報を生成する（図１０のステップＳＴ２９）。
【０１１４】
ステップＳＴ３３に続いて、操作者Ｄの操作に従って光学カメラ１３は、ステップＳＴ２８によって生成された非ＤＩＣＯＭデータを、通信ネットワークＮ１を介して医用情報管理装置１１Ａに送信する（ステップＳＴ３４）。なお、参照情報がＶＬＡＮのタグ情報である場合、光学カメラ１３は、スイッチによって、タグ情報が同じ医用情報管理装置１１Ａのみに非ＤＩＣＯＭデータを送信する。ここで、光学カメラ１３は、非ＤＩＣＯＭデータに所定の処理を施し、処理後の非ＤＩＣＯＭデータを通信ネットワークＮ１を介して医用情報管理装置１１Ａに送信してもよい。光学カメラ１３は、非ＤＩＣＯＭデータに、暗号化処理及び圧縮処理のうち少なくとも一方を施すことができる。
【０１１５】
上述したステップＳＴ２９（図１０に図示）〜ＳＴ３４のように、光学カメラ１３による非ＤＩＣＯＭデータに対応付けを行おうとする患者情報の適否を、光学カメラ１３から非ＤＩＣＯＭデータが送信される際に医用情報管理装置１１Ａが判断することができる。従って、従来技術において問題であった対応付けの際の患者情報の取り違えを、光学カメラ１３が医用情報管理装置１１Ａに接続される際（ステップＳＴ２４〜ＳＴ２７）と、非ＤＩＣＯＭデータが送信される際（ステップＳＴ３０〜ＳＴ３４）とで防止することができる。
【０１１６】
医用情報管理装置１１Ａは、ステップＳＴ３４によって送信された非ＤＩＣＯＭデータを受信し、非ＤＩＣＯＭデータを、ステップＳＴ２４（図１０に図示）によって生成されたパスワード情報「Ａ０１」に対応する患者情報に対応付けて記憶回路２２に一次的に保存する（ステップＳＴ３５）。ここで、暗号化処理が施された非ＤＩＣＯＭデータが光学カメラ１３から受信された場合、医用情報管理装置１１Ａは、暗号化処理が施された非ＤＩＣＯＭデータに対して復号処理を施した上で対応付けを行う。また、圧縮処理が施された非ＤＩＣＯＭデータが光学カメラ１３から受信された場合、医用情報管理装置１１Ａは、圧縮処理が施された非ＤＩＣＯＭデータに対して解凍処理を施した上で対応付けを行う。
【０１１７】
医用情報管理装置１１Ａは、光学カメラ１３から、同一の患者名「特許太郎」の患者Ｐに係る他の非ＤＩＣＯＭデータの送信要求がないか否かを判断する（ステップＳＴ３６）。ステップＳＴ３６の判断にてＹＥＳ、即ち、光学カメラ１３から、同一の患者名「特許太郎」の患者Ｐに係る他の非ＤＩＣＯＭデータの送信要求がないと判断される場合、医用情報管理装置１１Ａは、ステップＳＴ２４（図１０に図示）によって生成されたパスワード情報「Ａ０１」を破棄すると共に、操作者Ｄは、患者名「特許太郎」の患者Ｐを診察室から退出させる（ステップＳＴ３７）。
【０１１８】
なお、医用情報管理装置１１Ａは、ステップＳＴ３６，ＳＴ３７において、予め設定された時間の経過後に、患者ＰのＩＤ「Ａ０１」に基づくパスワード情報「Ａ０１」を破棄してもよい。また、医用情報管理装置１１Ａは、ステップＳＴ３６，ＳＴ３７において、操作者Ｄの操作により入力回路２３（図９に図示）から入力された破棄指示により、患者ＰのＩＤ「Ａ０１」に基づくパスワード情報「Ａ０１」を破棄してもよい。さらに、医用情報管理装置１１Ａは、ステップＳＴ３６，ＳＴ３７において、患者Ｐのスケジュール、例えば、検査の予約情報に基づく次の予定により、患者ＰのＩＤ「Ａ０１」に基づくパスワード情報「Ａ０１」を破棄してもよい。
【０１１９】
また、医用情報管理装置１１Ａは、パスワード情報「Ａ０１」を破棄する場合、光学カメラ１３に記憶された、パスワード情報「Ａ０１」に対応する非ＤＩＣＯＭデータ及び顔画像情報の削除を光学カメラ１３に要求してもよい。
【０１２０】
一方で、ステップＳＴ３６の判断にてＮＯ、即ち、光学カメラ１３から、同一の患者名「特許太郎」の患者Ｐに係る他の非ＤＩＣＯＭデータの送信要求があると判断される場合、医用情報管理装置１１Ａは、通信ネットワークＮ１を介して光学カメラ１３に他の非ＤＩＣＯＭデータの送信を要求する（ステップＳＴ３３）。ステップＳＴ３３〜ＳＴ３６を繰り返すことにより、ステップＳＴ２７（図１０に図示）によって構築された通信ネットワークＮ１がステップＳＴ３７で破棄されるまでの間、同一患者につき複数の非ＤＩＣＯＭデータを、光学カメラ１３から医用情報管理装置１１Ａに送信することができる。
【０１２１】
ステップＳＴ３７に続いて、医用情報管理装置１１Ａは、ステップＳＴ２（図１０に図示）によって取得された患者情報のリスト（図２に図示）に基づいて、診察室に入室させるべき次の患者が居ないか否かを判断する（ステップＳＴ３８）。ステップＳＴ３８の判断にてＹＥＳ、即ち、次の患者が居ないと判断される場合、医用情報管理装置１１Ａは、動作を終了する。
【０１２２】
一方で、ステップＳＴ３８の判断にてＮＯ、即ち、次の患者が居ると判断される場合、医用情報管理装置１１Ａは、ステップＳＴ２によって取得された患者情報のリスト（図２に図示）の中から次の患者名「実案花子」の患者Ｐを設定すると共に、操作者Ｄは、次の患者名「実案花子」の患者Ｐを診察室に入室させる（図１０のステップＳＴ３）。
【０１２３】
以上のように、ステップＳＴ３（図１０に図示）〜ＳＴ３８を繰り返すことで、医用情報管理装置１１Ａは、図２に示す患者情報を含むリストに従って複数のパスワード情報を順次生成することで、動的なパスワード情報を設定することができる。
【０１２４】
図１２の説明に移って、医用情報管理装置１１Ａは、操作者Ｄの要求に従って、ステップＳＴ３５（図１１に図示）によって記憶回路２２に一次的に保存された、患者情報が対応付けられた複数の非ＤＩＣＯＭデータの一覧を含む一覧画面をディスプレイ２４に表示する（ステップＳＴ１９）。医用情報管理装置１１Ａは、操作者Ｄの要求に従って、ステップＳＴ１９によって表示された、患者情報が対応付けられた登録対象の非ＤＩＣＯＭデータを、通信ネットワークＮ１を介してＶＮＡ１４に登録する（ステップＳＴ２０）。なお、医用情報管理装置１１ＡによるステップＳＴ１９，ＳＴ２０の動作については、図６に示す医用情報管理装置１１によるステップＳＴ１９，ＳＴ２０の動作と同等であるので、説明を省略する。
【０１２５】
なお、パスワード情報を用いて光学カメラ１３を有線で通信ネットワークＮ１に接続する医用情報管理装置１１Ａにおける方法は、光学カメラ１３を無線で通信ネットワークＮ１に接続する医用情報管理装置１１（図１等に図示）に適用されてもよい。その場合、医用情報管理装置１１は、患者Ｐに応じてＳＳＩＤを適宜生成する必要はなく、患者Ｐに応じてパスワード情報を暗号化キーとして適宜生成することで、固定のＳＳＩＤと変動のパスワード情報との組み合わせで光学カメラ１３を無線で通信ネットワークＮ１に接続することができる。
【０１２６】
医用情報管理装置１１Ａ及び医用情報管理システム１Ａによれば、複数の非ＤＩＣＯＭデータのそれぞれを第１の非ＤＩＣＯＭデータ又は第２の非ＤＩＣＯＭデータに分類してその旨を表示することで、ＶＮＡ１４への登録対象の非ＤＩＣＯＭデータの選択作業を効率化することができる。また、医用情報管理装置１１Ａ及び医用情報管理システム１Ａによれば、複数の非ＤＩＣＯＭデータのそれぞれを第１の非ＤＩＣＯＭデータ又は第２の非ＤＩＣＯＭデータに分類してその旨を表示することで、登録不要な非ＤＩＣＯＭデータの登録を防止することができる。
【０１２７】
また、医用情報管理装置１１Ａ及び医用情報管理システム１Ａによれば、患者情報に基づいてパスワード情報を生成し、かつ、パスワード情報に基づいて構築された通信ネットワークＮ１を介して光学カメラ１３から送信された参照情報を、患者情報に含まれる基準情報に照合することができる。それにより、医用情報管理装置１１Ａ及び医用情報管理システム１Ａによれば、適切な患者情報が対応付けられた登録対象の非ＤＩＣＯＭデータのみをＶＮＡ１４等のデータ管理装置に登録することができる。
【０１２８】
３．第３実施形態
図１３は、第３実施形態に係る医用情報管理システムの全体構成を示す概略図である。
【０１２９】
図１３は、第３実施形態に係る医用情報管理システム１Ｂを示す。医用情報管理システム１Ｂは、マスタ−スレーブ方式を採用するグループ内又は一定地域内の複数の病院間でデータを共有する場合を想定している。マスタ−スレーブ方式とは、複数の機器が協調動作する際に、複数の機器の制御及び操作を司る「マスタ」と、マスタの一方的な制御下で動作する「スレーブ」とで役割を分担する方式のことを意味する。
【０１３０】
医用情報管理システム１Ｂは、患者情報発生装置１０、医用情報管理装置（マスタ）１１Ｂ、データ生成デバイス（例えば、光学カメラ）１３、ＶＮＡ１４、及びスレーブ１５を備える。マスタ１１Ｂ及びスレーブ１５は、異なる病院にそれぞれ備えられる。患者情報発生装置１０、医用情報管理装置１１Ｂ、データ生成デバイス１３、及びＶＮＡ１４は、有線ＬＡＮ等の通信ネットワークＮ１を介して相互に接続可能である。
【０１３１】
なお、図１３に示す医用情報管理システム１Ｂにおいて、図１に示す医用情報管理システム１に示す部材、図８に示す医用情報管理システム１Ａに示す部材と同一部材には同一符号を付して説明を省略する。
【０１３２】
医用情報管理装置１１Ｂは、図１及び図３に示す医用情報管理装置１１の構成及び機能、図８及び図９に示す医用情報管理装置１１Ａの構成及び機能と同等の構成及び機能を備える。加えて、医用情報管理装置１１Ｂは、スレーブ１５に対するマスタとして機能する。
【０１３３】
スレーブ１５は、図示しない処理回路、記憶回路、入力回路、及びディスプレイを備える。スレーブ１５の記憶回路は、第２病院で取得された非ＤＩＣＯＭデータ等を保存する。加えて、スレーブ１５は、マスタ１１Ｂに対するスレーブとして機能する。
【０１３４】
医用情報管理システム１Ｂでは、第１病院に備えられるマスタ１１Ｂについて患者ＩＤ「Ａ０１」に基づくパスワード情報「Ａ０１」に基づいて通信ネットワークＮ１が構築された場合に（図４のステップＳＴ７又は図１０のステップＳＴ２７）、第２病院に備えられるスレーブ１５は、第１病院の患者ＩＤ「Ａ０１」に結び付く第２病院の患者ＩＤ「ＢＢ３３３」に係る非ＤＩＣＯＭデータを保有するか否かを判断する。第２病院が患者ＩＤ「ＢＢ３３３」に係る非ＤＩＣＯＭデータを保有すると判断する場合、スレーブ１５は、患者ＩＤ「Ａ０１」に係る非ＤＩＣＯＭデータをマスタ１１Ｂに送信する。マスタ１１Ｂは、スレーブ１５から送信された非ＤＩＣＯＭデータに、患者ＩＤ「Ａ０１」に係る患者情報を対応付けてＶＮＡ１４に登録する。
【０１３５】
上述したように、スレーブ１５が備えられる第２病院が保有する患者名「特許太郎」の患者ＩＤは、マスタ１１Ｂが備えられる第１病院が保有する患者名「特許太郎」の患者ＩＤ「Ａ０１」とは一般的に異なる。例えば、図１３に示すように、マスタ１１Ｂが備えられる第１病院が保有する患者名「特許太郎」の患者ＩＤが「Ａ０１」であるのに対し、スレーブ１５が備えられる第２病院が保有する患者名「特許太郎」の患者ＩＤは、「ＢＢ３３３」である。同一患者名に相当する複数の患者ＩＤの結び付けは、従来技術であるＰＩＸ（Patient Identifier Cross-referencing）／ＰＤＱ（Patient Demographics Query）及びＭＰＩ（Master Patient Index）の技術や、予め複数の患者ＩＤ同士が結び付けられたテーブル等を用いて行うことができる。ＰＩＸ／ＰＤＱは、患者の識別のための仕組みで、複数の病院で管理されている患者ＩＤに対して地域で一意なＩＤを発行管理する仕組みである。
【０１３６】
以上説明した少なくとも１つの実施形態によれば、データ管理装置に登録すべき非ＤＩＣＯＭデータの選択作業を効率化することができる。また、当該実施形態によれば、適切な患者情報が対応付けられた非ＤＩＣＯＭデータをデータ管理装置に登録することができる。
【０１３７】
なお、生成機能３１，３１Ａは、生成手段の一例である。照合機能３２，３２Ａは、照合手段の一例である。取得機能３３，３３Ａは、取得手段の一例である。表示制御機能３４，３４Ａは、表示制御手段の一例である。登録機能３５，３５Ａは、登録手段の一例である。患者情報取得機能４１，４１Ａは、患者情報取得手段の一例である。ネットワークアクセス情報生成機能４２，４２Ａは、ネットワークアクセス情報生成手段の一例である。
【０１３８】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１３９】
１，１Ａ，１Ｂ  医用情報管理システム
１０  患者情報発生装置
１１，１１Ａ，１１Ｂ  医用情報管理装置
１２  アクセスポイント
１３  データ生成デバイス
１４  ＶＮＡ
１５  スレーブ
２１  処理回路
３１，３１Ａ  生成機能
３２，３２Ａ  照合機能
３３，３３Ａ  取得機能
３４，３４Ａ  表示制御機能
３５，３５Ａ  登録機能
４１，４１Ａ  患者情報取得機能
４２，４２Ａ  ネットワークアクセス情報生成機能
【図１】
2018116699.tif 000003
【図２】
2018116699.tif 000004
【図３】
2018116699.tif 000005
【図４】
2018116699.tif 000006
【図５】
2018116699.tif 000007
【図６】
2018116699.tif 000008
【図７】
2018116699.tif 000009
【図８】
2018116699.tif 000010
【図９】
2018116699.tif 000011
【図１０】
2018116699.tif 000012
【図１１】
2018116699.tif 000013
【図１２】
2018116699.tif 000014
【図１３】
2018116699.tif 000015